(57)【要約】【目的】サテライト型印刷機における多数のブランケット胴の印圧を統合的、かつ、簡便に調整する。【構成】サテライト状に配設された多数のブランケット胴（５）の偏心軸受手段（９）を、共通圧胴（１）の中心を貫通する基軸（１０）に固結された転輪（１３）から一括的に回動させて印圧調整を行うこととしたサテライト型印刷機の印圧調整装置である。【選択図】  図１
2004188624.tif 000002
【特許請求の範囲】
【請求項１】
大径の共通圧胴（１）を中心にして、多数の印刷ユニット（３）のブランケット胴（５）がサテライト状に配設され、該ブランケット胴（５）の胴軸（６）が偏心軸受手段（９）によって支持されて、共通圧胴（１）の中心からブランケット胴（５）の軸心までの距離が調整可能とされたサテライト型印刷機において、
前記共通圧胴（１）の中心を貫通し、かつ、該共通圧胴（１）とは独立して支持された基軸（１０）と、
該基軸（１０）の端部に固結された転輪（１３）と、
一端が該転輪（１３）に、他端が前記偏心軸受手段（９）に各々連結された連係手段（１４）と、
転輪（１３）を回動させる駆動手段（１６）と、を有する印圧調整装置。
【請求項２】
各々の連係手段（１４）の中途に微調整手段（１５）を設けたことを特徴とする請求項１記載の印圧調整装置。
【発明の詳細な説明】
【０００１】
【産業上の利用分野】
本発明は、枚葉印刷のためのサテライト型印刷機に関し、特に、その印圧調整装置に関する。
【０００２】
【発明の背景】
多数の（例えば４色分の）印刷ユニットを、大径の共通圧胴を中心にしてサテライト状に配設して成るサテライト型印刷機は、例えば特開平８−２４４１９５号公報によって知られているが、印刷されるシートの厚さは多種多様であるので、それに呼応して印刷ユニットのブランケット胴と共通圧胴との接触圧、すなわち印圧を調整しなければならない。
【０００３】
【従来の技術】
特開平３−１９４７号公報にあっては、旧来の直列型枚葉印刷機において、２重偏心軸受によって支持された印刷ユニットのブランケット胴を、各々の圧胴に対して統合的に印圧調整する技術が開示されている。
また、特公平８−２９５８６号公報にあっては、異なる紙厚に対して爪のくわえを調整する技術において、胴周に均分配置された複数の爪座を、胴の中心から統合的に調整する技術が開示されている。
【０００４】
【発明が解決しようとする課題】
本発明は、全く新規なサテライト型印刷機の印圧調整装置を提供するもので、その目的は、多数のブランケット胴の印圧を統合的、かつ、簡便に調整すること、また、統合的な調整に加えて、各々の印刷ユニットの事情に応じた個別的な微調整も許容することにある。
【０００５】
【課題を解決するための手段】
そしてこのために、本発明に係るサテライト型印刷機の印圧調整装置は、共通圧胴（１）の中心を貫通し、かつ、この共通圧胴（１）とは独立して支持された基軸（１０）と、この基軸（１０）の端部に固結された転輪（１３）と、一端がこの転輪（１３）に、他端がブランケット胴（５）の偏心軸受手段（９）に各々連結された連係手段（１４）と、輪転（１３）を回動させる駆動手段（１６）と、を有しており、また、各々の連係手段（１４）の中途に微調整手段（１５）が設けられる。
【０００６】
【作用】
サテライト型印刷機にかけられるシートの厚さが変化して、印圧調整が必要になると、駆動手段（１６）が起動されて、基軸（１０）と一体に転輪（１３）を所要量回動させる。その回動力は、連係手段（１４）を介して偏心軸受手段（９）
を回動させ、印圧が調整される。
【０００７】
【実施例】
以下、図面を参照して、本発明の実施例につき詳細に説明する。図１は、本発明に係るサテライト型印刷機の印圧調整装置の一実施例を示す概念的側面図、図２は、同じく要部断面図、図３は、印圧調整の対象とされるブランケット胴の軸受部分を示す断面図である。
【０００８】
図１の中央には、サテライト型印刷機の共通圧胴（１）が示されており、前記した特開平８−２４４１９５号公報等からも既に知られているように、大径の共通圧胴（１）は、印刷機の両側の１対のサイドフレーム（２）間に回転自在に支承され、図示しないモータにより駆動される。なお、図示を省略しているが、共通圧胴（１）の胴周にはシートの端部をくわえるくわえ爪が設けられ、上流側（図１では右側）の給紙胴からシートを受け取り、所要の印刷を行った後、下流側の排紙装置にシートを引き渡す。
【０００９】
共通圧胴（１）を中心にして、４組の印刷ユニット（３）がサテライト状に配設されている。これらの印刷ユニット（３）は、カラーオフセット印刷を行うために、刷版を取り付けた版胴（４）及び絵柄を転写するブランケット胴（５）を有しており、加えて版胴（４）にはインキ装置及び湿し水装置が付設される。
なお、サテライト状に配設された印刷ユニット（３）の版胴（４）の直径に対して、共通圧胴（１）の直径は整数倍（例えば４倍）とされている。その理由は、図示しないモータによって駆動される共通圧胴（１）の回転に調速して、これらの印刷ユニット（３）に順次各色の重ね刷りを行わせるためである。
【００１０】
さて、印圧調整の対象とされるブランケット胴（５）の両端の胴軸（６）は、前記した特開平３−１９４７号公報等からも十分に知られているように、２重偏心軸受によってサイドフレーム（２）間に支持されている。
図３に参考的に示す２重偏心軸受において、内側の偏心軸受（７）は、ブランケット胴（５）の胴入れ／胴抜きを行うためのものであり、シリンダ（８）によってこの内側の偏心軸受（７）を急速に回動させることにより、位置が一定している共通圧胴（１）及び版胴（４）に対してブランケット胴（５）を着脱することは周知の通りである。
【００１１】
印圧調整は、このような胴入れ／胴抜きを前提としつつも、紙厚の変化に呼応して、共通圧胴（１）の中心からブランケット胴（５）の軸心までの距離を変化させ、両胴（１）、（５）の接触圧を調整するものであり、このために、２重偏心軸受の外側の偏心軸受（以下、偏心軸受手段（９）という。）を所要量回動させることが必要となる。
【００１２】
図２に示すように、共通圧胴（１）の中心を貫通して基軸（１０）が設けられており、その両端は、サイドフレーム（２）に固設したブラケット（１１）により回動可能に支持されている。この基軸（１０）は、図示の通り、共通圧胴（１）の胴軸（１２）との間にスキ間を有しており、全く独立的に支持されている。
そして、基軸（１０）の両端には、円形状の回転体である転輪（１３）が固結されている。
【００１３】
共通圧胴（１）の中心側から、サテライト状に配置されたブランケット胴（５）の偏心軸受手段（９）に力を伝達するため、リンクによる連係手段（１４）が設けられており、各々の連係手段（１４）の一端は転輪（１３）に、また他端は各々の偏心軸受手段（９）にそれぞれ連結されている。
なお、多数のブランケット胴（５）の個別的な事情（製作誤差、経年変化）による微調整の必要性に応じるため、リンクによる連係手段（１４）の中途にターンバックルを介設して、微調整手段（１５）としている。
そして、共通圧胴（１）側から多数の偏心軸受手段（９）を一括して回動させるべく、シリンダによる駆動手段（１６）が転輪（１３）に連結されている。
【００１４】
次に、上記構成の作用について説明する。サテライト型印刷機にかけられるシートの厚さが変化して印圧調整が必要となった場合、制御コンソールからの指令信号（紙厚情報を含む。）により駆動手段（１６）が起動される。
共通圧胴（１）の中心を貫通し、かつ、共通圧胴（１）から全く独立している基軸（１０）に固結された転輪（１３）は、駆動手段（１６）からの押動力により回動される。
転輪（１３）の回動は、各々の連係手段（１４）を介して多数のブランケット胴（５）の偏心軸受手段（９）をそれぞれ回動させることとなり、これにより、共通圧胴（１）の中心から各々のブランケット胴（５）の軸心までの距離が一括的に調整されて、印圧が調整される。
【００１５】
【発明の効果】
本発明に係るサテライト型印刷機の印圧調整装置によれば、多数のブランケット胴の印圧が共通圧胴の中心側から一括的に調整できるので、印圧調整に伴う作業負担が飛躍的に軽減できるという有意義な効果がある。
【図面の簡単な説明】
【図１】本発明に係るサテライト型印刷機の印圧調整装置の一実施例を示す概念的側面図である。
【図２】同じく要部断面図である。
【図３】印圧調整の対象とされるブランケット胴の軸受部分を示す断面図である。
【符号の説明】
１      共通圧胴
３      印刷ユニット
５      ブランケット胴
６      胴軸
９      偏心軸受手段
１０    基軸
１１    ブラケット
１３    転輪
１４    連係手段
１５    微調整手段
１６    駆動手段
【図１】
2004188624.tif 000003
【図２】
2004188624.tif 000004
【図３】
2004188624.tif 000005